(57)【要約】【課題】雰囲気温度が大きく変化した場合でも合焦位置変動や画角変動が少なく、良好な光学性能を確保でき、軽量で安価な撮像レンズおよび撮像装置を提供する。【解決手段】物体側から順に、負の屈折力を有する第１レンズＧ11と、後続レンズ群ＧＲ1と、が配置されて構成され、後続レンズ群ＧＲ1は、物体側から順に、正の屈折力を有する第２レンズＧ12と、開口絞りＳＰと、正の屈折力を有する第３レンズＧ13と、負の屈折力を有する第４レンズＧ14と、が配置されて構成され、第３レンズＧ13および第４レンズＧ14は、樹脂で構成されており、第３レンズＧ13と第４レンズＧ14は、光軸上に空気間隔を隔てて隣接して配置されており、所定の条件式を満足する。【選択図】図１
2019174848.tif 000002
【特許請求の範囲】
【請求項１】
物体側から順に配置された、負の屈折力を有する第１レンズと、複数のレンズで構成された後続レンズ群と、からなり、
前記第１レンズは、両面が凹形状であり、
前記後続レンズ群は、光軸上に空気間隔を隔てて隣接して配置された１組の樹脂レンズを有し、３枚あるいは４枚のレンズから構成され、
前記後続レンズ群は、物体側から順に配置された、正の屈折力を有する第２レンズと、正の屈折力を有する第３レンズと、負の屈折力を有する第４レンズと、を備え、
以下に示す条件式を満足することを特徴とする撮像レンズ。
（１）  ｜ｆｒｐ｜／ｆ＞３０
ただし、ｆｒｐは前記１組の樹脂レンズの合成焦点距離、ｆは前記撮像レンズ全系の焦点距離を示す。
【請求項２】
以下に示す条件式を満足することを特徴とする請求項１に記載の撮像レンズ。
（３）  ０．８＜ｆ２／ｆ＜４．０
ただし、ｆ２は前記第２レンズの焦点距離を示す。
【請求項３】
前記第２レンズは、両面が凸形状であることを特徴とする請求項１または２に記載の撮像レンズ。
【請求項４】
以下に示す条件式を満足することを特徴とする請求項１〜３のいずれか一つに記載の撮像レンズ。
（４）  ６０．０＜ν２
（５）  １０．０＜ν２−ν１
ただし、ν２は前記第２レンズのｄ線に対するアッベ数、ν１は前記第１レンズのｄ線に対するアッベ数を示す。
【請求項５】
前記１組の樹脂レンズは、以下に示す条件式を満足することを特徴とする請求項１〜４のいずれか一つに記載の撮像レンズ。
（６）  −２．０＜Ｒｐ１ａ／Ｒｐ２ａ＜−０．５
ただし、Ｒｐ１ａは前記１組の樹脂レンズのうち、物体側に配置された樹脂レンズの曲率が強い方の面の近軸曲率半径、Ｒｐ２ａは前記１組の樹脂レンズのうち、像面側に配置された樹脂レンズの曲率が強い方の面の近軸曲率半径を示す。
【請求項６】
前記１組の樹脂レンズは、以下に示す条件式を満足することを特徴とする請求項１〜５のいずれか一つに記載の撮像レンズ。
（７）  −２．０＜Ｒｐ１ｂ／Ｒｐ２ｂ＜−０．０５
ただし、Ｒｐ１ｂは前記１組の樹脂レンズのうち、物体側に配置された樹脂レンズの曲率が弱い方の面の近軸曲率半径、Ｒｐ２ｂは前記１組の樹脂レンズのうち、像面側に配置された樹脂レンズの曲率が弱い方の面の近軸曲率半径を示す。
【請求項７】
前記１組の樹脂レンズは、各樹脂レンズの少なくとも１面に非球面が形成されていることを特徴とする請求項１〜６のいずれか一つに記載の撮像レンズ。
【請求項８】
以下に示す条件式を満足することを特徴とする請求項１〜７のいずれか一つに記載の撮像レンズ。
（８）  ０．８＜ｆ３／ｆ＜２．０
ただし、ｆ３は前記第３レンズの焦点距離を示す。
【請求項９】
以下に示す条件式を満足することを特徴とする請求項１〜８のいずれか一つに記載の撮像レンズ。
（９）  −２．０＜ｆ４／ｆ＜−０．６
ただし、ｆ４は前記第４レンズの焦点距離を示す。
【請求項１０】
前記第３レンズは、両面が凸形状であることを特徴とする請求項１〜９のいずれか一つに記載の撮像レンズ。
【請求項１１】
前記第４レンズは、両面が凹形状であることを特徴とする請求項１〜１０のいずれか一つに記載の撮像レンズ。
【請求項１２】
請求項１〜１１のいずれか一つに記載の撮像レンズと、該撮像レンズによって結像した像を電気的信号に変換する撮像素子と、を備えたことを特徴とする撮像装置。
【発明の詳細な説明】
【技術分野】
【０００１】
本発明は、低温時や高温時でも良好な光学性能を確保することが可能な撮像レンズ、およびそれを備えた撮像装置に関する。
【背景技術】
【０００２】
近年、ＣＣＤ（Ｃｈａｒｇｅ Ｃｏｕｐｌｅｄ Ｄｅｖｉｃｅ）やＣＭＯＳ（Ｃｏｍｐｌｅｍｅｎｔａｒｙ Ｍｅｔａｌ Ｏｘｉｄｅ Ｓｅｍｉｃｏｎｄｕｃｔｏｒ）などの固体撮像素子が備えられた撮像装置において、高機能化とともに、装置全体の小型化が促進されている。とりわけ、屋内外に設置される監視用カメラ、防犯カメラ、車載用カメラなどは、設置されるスペースが限られることが多いことなどから、より小型であることが要求される。これに伴い、監視用カメラ、防犯カメラ、車載用カメラなどに搭載される撮像レンズにおいても、さらなる小型化、高性能化が求められている。
【０００３】
監視用カメラ、防犯カメラ、車載用カメラなどに搭載される撮像レンズとしては、長期使用に耐えうる信頼性と低コスト化の観点から、ピント調整を行うアクチュエータを必要としない固定焦点レンズが広く用いられている。監視用カメラ、防犯カメラは、気温の変化が大きい屋外に設置されること多い。また、車載用カメラは、特に夏季に高温になるおそれのある車内に設置されることもある。このため、監視用カメラ、防犯カメラ、車載用カメラに搭載される撮像レンズには、常温での光学性能を確保することはもちろん、温度変化が発生しても合焦位置変動が少なく、さらには高温および低温の環境下でも良好の光学性能を保つことが要求される。そこで、かかる要求に応えるべく、監視用カメラ、防犯カメラ、車載用カメラなどに搭載可能な種々の撮像レンズが提案されている（たとえば、特許文献１〜３を参照。）。
【先行技術文献】
【特許文献】
【０００４】
【特許文献１】特開２０１０−１０７５３２号公報
【特許文献２】特開２０１１−２５７４６２号公報
【特許文献３】特開２０１５−１４３７９６号公報
【発明の概要】
【発明が解決しようとする課題】
【０００５】
たとえば、特許文献１に記載の撮像レンズは、物体側から順に、負レンズ、正レンズ、正レンズ、負レンズ、正レンズの５枚のレンズを配置して構成され、全てガラス球面レンズとすることで、低温から高温までの幅広い温度領域における環境耐性を高めている。しかし、特許文献１に記載の撮像レンズのように、全て球面レンズで構成すると、特に像面湾曲の補正が困難になり、小型で良好な光学性能を得ることが難しいという問題がある。特に、監視用カメラ、防犯カメラ、車載用カメラなどでは取得する情報量の拡大を目指しているため、高画素に対応したレンズが求められており、良好な光学性能を得ることが難しい特許文献１に記載の撮像レンズは不適である。
【０００６】
特許文献２に記載の撮像レンズは、物体側より順に、負レンズ、正レンズ、負レンズ、正レンズを配置して構成し、非球面を設けることで像面湾曲など諸収差を適切に除去し良好な光学性能を維持できるため、特許文献１に記載の撮像レンズが有する問題は解決できる。しかし、非球面をガラスレンズに設けていることから高価であり、製造コストの低減が難しいという問題が残る。
【０００７】
特許文献３に記載の撮像レンズは、物体側から順に、負レンズ、正レンズ、樹脂レンズ２枚を接合したレンズを配置して構成し、樹脂レンズに非球面を設けることで、良好な光学性能を維持しつつ製造コストの低減が可能になっていることから、特許文献２に記載の撮像レンズが有する問題は解決できる。しかし、特許文献３に記載の撮像レンズは、樹脂レンズの屈折力配置が適切でなく、雰囲気温度に変化が生じた場合、画角変化の発生が著しいため、好ましくない。
【０００８】
近年、樹脂レンズ材料の環境耐性が高まってきたことで、雰囲気温度の変化が大きい場所に設置される監視用カメラ、防犯カメラ、車載用カメラなどにも樹脂レンズの使用が可能になりつつある。しかしながら、樹脂レンズは、ガラスレンズと比較して温度変化による屈折率変化、形状変化が大きいため、温度変化時の合焦位置変動を抑え、光学性能が劣化しない構成が求められる。さらには、撮像レンズと撮像素子とで取得した情報によりセンシング（取得した画像を基に情報抽出）を行う際、温度変化によって取得画像の画角変化がないことが強く求められている。
【０００９】
本発明は、上述した従来技術による問題点を解消するため、雰囲気温度が大きく変化した場合でも合焦位置変動や画角変動が少なく、低温時や高温時でも良好な光学性能を確保できる、広角で軽量な撮像レンズを安価で提供することを目的とする。さらに、雰囲気温度が大きく変化した場合でも合焦位置変動や画角変動が少なく、低温時や高温時でも良好な光学性能を確保できる撮像装置を提供することを目的とする。
【課題を解決するための手段】
【００１０】
上述した課題を解決し、目的を達成するため、本発明にかかる撮像レンズは、物体側から順に配置された、負の屈折力を有する第１レンズと、複数のレンズで構成された後続レンズ群と、からなり、前記後続レンズ群は、光軸上に空気間隔を隔てて隣接して配置された少なくとも１組以上の樹脂レンズを備え、以下に示す条件式を満足することを特徴とする。
（１）  ３０＜｜ｆｒｐ｜／ｆ
ただし、ｆｒｐは前記後続レンズ群内に配置されたいずれか１組の樹脂レンズの合成焦点距離、ｆは前記撮像レンズ全系の焦点距離を示す。
【００１１】
本発明によれば、雰囲気温度が大きく変化した場合でも合焦位置変動や画角変動が少なく、低温時や高温時でも良好な光学性能を確保でき、さらには広角で軽量な撮像レンズを安価で提供することができる。
【００１２】
さらに、本発明にかかる撮像レンズは、前記発明において、前記第１レンズは、両面が凹形状であることを特徴とする。
【００１３】
本発明によれば、第１レンズの小径化を図っても良好な光学性能を確保することができる。
【００１４】
さらに、本発明にかかる撮像レンズは、前記発明において、以下に示す条件式を満足することを特徴とする。
（２）  ０．８＜｜ｆ１｜／ｆ＜２．０
ただし、ｆ１は前記第１レンズの焦点距離を示す。
【００１５】
本発明によれば、第１レンズの小径化を図るとともに、光学性能を向上させることができる。
【００１６】
さらに、本発明にかかる撮像レンズは、前記発明において、前記後続レンズ群の最も物体側に、正の屈折力を有する第２レンズが配置されていることを特徴とする。
【００１７】
本発明によれば、第２レンズに後続するレンズの小径化を図り、撮像レンズの小型化を促進することができる。
【００１８】
さらに、本発明にかかる撮像レンズは、前記発明において、以下に示す条件式を満足することを特徴とする。
（３）  ０．８＜ｆ２／ｆ＜４．０
ただし、ｆ２は前記第２レンズの焦点距離を示す。
【００１９】
本発明によれば、撮像レンズの小型化と良好な光学性能の確保が可能になる。
【００２０】
さらに、本発明にかかる撮像レンズは、前記発明において、前記第２レンズは、両面が凸形状であることを特徴とする。
【００２１】
本発明によれば、撮像レンズの小型化と光学性能の向上を図ることができる。
【００２２】
さらに、本発明にかかる撮像レンズは、前記発明において、以下に示す条件式を満足することを特徴とする。
（４）  ６０．０＜ν２
（５）  １０．０＜ν２−ν１
ただし、ν２は前記第２レンズのｄ線に対するアッベ数、ν１は前記第１レンズのｄ線に対するアッベ数を示す。
【００２３】
本発明によれば、色収差を良好に補正することができる。
【００２４】
さらに、本発明にかかる撮像レンズは、前記発明において、前記後続レンズ群内に隣接して配置されたいずれか１組の樹脂レンズが、以下に示す条件式を満足することを特徴とする。
（６）  −２．０＜Ｒｐ１ａ／Ｒｐ２ａ＜−０．５
ただし、Ｒｐ１ａは当該隣接して配置された１組の樹脂レンズのうち、物体側に配置された樹脂レンズの曲率が強い方の面の近軸曲率半径、Ｒｐ２ａは当該隣接して配置された１組の樹脂レンズのうち、像面側に配置された樹脂レンズの曲率が強い方の面の近軸曲率半径を示す。
【００２５】
本発明によれば、雰囲気温度の変化に伴う画角変化を抑制することができる。
【００２６】
さらに、本発明にかかる撮像レンズは、前記発明において、前記後続レンズ群内に隣接して配置されたいずれか１組の樹脂レンズが、以下に示す条件式を満足することを特徴とする。
（７）  −２．０＜Ｒｐ１ｂ／Ｒｐ２ｂ＜−０．０５
ただし、Ｒｐ１ｂは当該隣接して配置された１組の樹脂レンズのうち、物体側に配置された樹脂レンズの曲率が弱い方の面の近軸曲率半径、Ｒｐ２ｂは当該隣接して配置された１組の樹脂レンズのうち、像面側に配置された樹脂レンズの曲率が弱い方の面の近軸曲率半径を示す。
【００２７】
本発明によれば、雰囲気温度の変化に伴う画角変化を抑制することができる。
【００２８】
さらに、本発明にかかる撮像レンズは、前記発明において、前記後続レンズ群内に隣接して配置されたいずれか１組の樹脂レンズは、各樹脂レンズの少なくとも１面に非球面が形成されていることを特徴とする。
【００２９】
本発明によれば、諸収差をさらに良好に補正することができる。
【００３０】
さらに、本発明にかかる撮像レンズは、前記発明において、前記後続レンズ群は、前記第２レンズの像面側に、順に、正の屈折力を有する第３レンズと、負の屈折力を有する第４レンズと、を備えていることを特徴とする。
【００３１】
本発明によれば、撮像レンズの小型化と良好な光学性能の確保が可能になる。
【００３２】
さらに、本発明にかかる撮像レンズは、前記発明において、以下に示す条件式を満足することを特徴とする。
（８）  ０．８＜ｆ３／ｆ＜２．０
ただし、ｆ３は前記第３レンズの焦点距離を示す。
【００３３】
本発明によれば、撮像レンズの小型化と良好な光学性能の確保が可能になる。
【００３４】
さらに、本発明にかかる撮像レンズは、前記発明において、以下に示す条件式を満足することを特徴とする。
（９）  −２．０＜ｆ４／ｆ＜−０．６
ただし、ｆ４は前記第４レンズの焦点距離を示す。
【００３５】
本発明によれば、撮像レンズの小型化と良好な光学性能の確保が可能になる。
【００３６】
さらに、本発明にかかる撮像レンズは、前記発明において、前記第３レンズは、両面が凸形状であることを特徴とする。
【００３７】
本発明によれば、撮像レンズの光学性能の向上を図ることができる。
【００３８】
さらに、本発明にかかる撮像レンズは、前記発明において、前記第４レンズは、両面が凹形状であることを特徴とする。
【００３９】
本発明によれば、撮像レンズの光学性能の向上を図ることができる。
【００４０】
また、本発明にかかる撮像装置は、前記撮像レンズと、該撮像レンズによって結像した像を電気的信号に変換する撮像素子と、を備えたことを特徴とする。
【００４１】
本発明によれば、雰囲気温度が大きく変化した場合でも合焦位置変動や画角変動が少なく、低温時や高温時でも良好な光学性能を確保できる撮像装置を提供することができる。
【発明の効果】
【００４２】
本発明によれば、雰囲気温度が大きく変化した場合でも合焦位置変動や画角変動が少なく、低温時や高温時でも良好な光学性能を確保でき、さらには軽量な撮像レンズを安価で提供することができるという効果を奏する。また、雰囲気温度が大きく変化した場合でも合焦位置変動や画角変動が少なく、低温時や高温時でも良好な光学性能を確保可能な撮像装置を提供することができるという効果を奏する。
【図面の簡単な説明】
【００４３】
【図１】実施例１にかかる撮像レンズの構成を示す光軸に沿う断面図である。
【図２】実施例１にかかる撮像レンズの縦収差図である。
【図３】実施例２にかかる撮像レンズの構成を示す光軸に沿う断面図である。
【図４】実施例２にかかる撮像レンズの縦収差図である。
【図５】実施例３にかかる撮像レンズの構成を示す光軸に沿う断面図である。
【図６】実施例３にかかる撮像レンズの縦収差図である。
【図７】実施例４にかかる撮像レンズの構成を示す光軸に沿う断面図である。
【図８】実施例４にかかる撮像レンズの縦収差図である。
【図９】実施例５にかかる撮像レンズの構成を示す光軸に沿う断面図である。
【図１０】実施例５にかかる撮像レンズの縦収差図である。
【図１１】実施例６にかかる撮像レンズの構成を示す光軸に沿う断面図である。
【図１２】実施例６にかかる撮像レンズの縦収差図である。
【図１３】実施例７にかかる撮像レンズの構成を示す光軸に沿う断面図である。
【図１４】実施例７にかかる撮像レンズの縦収差図である。
【図１５】本発明にかかる撮像レンズを備えた撮像装置の一適用例を示す図である。
【発明を実施するための形態】
【００４４】
以下、本発明にかかる撮像レンズおよび撮像装置の好適な実施の形態を詳細に説明する。
【００４５】
本発明は、雰囲気温度が大きく変化した場合でも合焦位置変動や画角変動が少なく、低温時や高温時でも良好な光学性能を確保できる、広角で軽量な撮像レンズを安価で提供することを目的としている。
【００４６】
そこで、本発明にかかる撮像レンズは、物体側から順に配置された、負の屈折力を有する第１レンズと、複数のレンズで構成された後続レンズ群と、から構成する。そして、後続レンズ群に、光軸上に空気間隔を隔てて隣接して配置された少なくとも１組以上の樹脂レンズを備えている。
【００４７】
本発明にかかる撮像レンズは、取得する情報量の拡大を目指す監視用カメラ、防犯カメラ、車載用カメラなどの撮像装置に対応させるため、最も物体側に配置される第１レンズを負レンズとしたことで広角化（画角が６０〜７０°程度）を実現する。さらに、後続レンズ群に光軸上に空気間隔を隔てて隣接して配置された少なくとも１組以上の樹脂レンズを備えたことで、製造コストの低減および軽量化を図ることが可能になる。樹脂レンズ同士を隣合わせて配置したことで、ガラスレンズと比較して温度変化による屈折率変化および形状変化を相殺させることが容易になって、雰囲気温度が大きく変化した場合であっても合焦位置変動および画角変動の抑制が可能になる。
【００４８】
特に、本発明にかかる撮像レンズにおいて、温度変化時に生じる画角変動を抑制するため、上記構成を前提に、後続レンズ群内に配置されたいずれか１組の樹脂レンズの合成焦点距離をｆｒｐ、撮像レンズ全系の焦点距離をｆとするとき、次の条件式を満足することが好ましい。
（１）  ３０＜｜ｆｒｐ｜／ｆ
【００４９】
条件式（１）は、撮像レンズ全系の焦点距離に対する後続レンズ群内に配置された、いずれか１組の樹脂レンズの合成焦点距離の比を規定する式である。本発明にかかる撮像レンズは、上記構成のもと、条件式（１）を満足することにより、雰囲気温度が大きく変化した場合でも合焦位置変動や画角変動が少なく、低温時や高温時でも良好な光学性能を確保できる、広角で軽量な撮像レンズを安価で提供することができる。
【００５０】
条件式（１）においてその下限を下回ると、後続レンズ群内に配置されたいずれか１組の樹脂レンズの合成屈折力が強くなりすぎてしまい、温度変化時に画角変動が発生して、光学性能の劣化を招くため、好ましくない。
【００５１】
なお、上記条件式（１）は、次に示す範囲を満足すると、より好ましい効果が期待できる。
（１ａ）  ３２＜｜ｆｒｐ｜／ｆ＜８０
【００５２】
この条件式（１ａ）で規定する範囲を満足することにより、温度変化時に生じうる画角変動をより強く抑制して、さらに良好な光学性能を確保することができる。なお、条件式（１ａ）の上限を超えない状態であれば、後続レンズ群内に配置されたいずれか１組の樹脂レンズの収斂作用が弱まるのを防止でき、結果として撮像レンズの全長が延びることを防ぐことができるので、より好ましい。
【００５３】
さらに、本発明にかかる撮像レンズでは、第１レンズの両面が凹形状であることが好ましい。第１レンズを両凹形状とすることで、負の屈折力を物体側と像側とに分散し、偏心による片ボケの劣化を抑えることが可能になる。この結果、強い負の屈折力を第１レンズに付与し、第１レンズの小径化を図っても、良好な光学性能を確保することができる。
【００５４】
さらに、本発明にかかる撮像レンズでは、第１レンズの焦点距離をｆ１、撮像レンズ全系の焦点距離をｆとするとき、次の条件式を満足することが好ましい。
（２）  ０．８＜｜ｆ１｜／ｆ＜２．０
【００５５】
条件式（２）は、撮像レンズ全系の焦点距離に対する第１レンズの焦点距離の比を規定する式である。条件式（２）を満足することで、第１レンズの小径化を図るとともに、光学性能を向上させることができる。
【００５６】
条件式（２）においてその下限を下回ると、第１レンズの屈折力が強くなりすぎて、球面収差の補正が困難になり、良好な光学性能の確保が難しくなる。一方、条件式（２）においてその上限を超えると、第１レンズの屈折力が弱くなりすぎて、広角化のためには第１レンズの口径を大きくせざるを得なくなってしまい、撮影レンズの大型化を招くため、好ましくない。監視用カメラ、防犯カメラ、車載用カメラなどは、被写体側からカメラの存在を目立たなくする必要があるため、装置の小型化が要求される。したがって、大型化した撮像レンズは、好ましくない。
【００５７】
なお、上記条件式（２）は、次に示す範囲を満足すると、より好ましい効果が期待できる。
（２ａ）  １．２＜｜ｆ１｜／ｆ＜１．６
【００５８】
さらに、本発明にかかる撮像レンズは、続レンズ群の最も物体側に正の屈折力を有する第２レンズが配置されていることが好ましい。続レンズ群の最も物体側に正の屈折力を有する第２レンズを配置することにより、第１レンズからの光線束を絞り、第２レンズに後続するレンズの小径化を図り、撮像レンズの小型化を促進することができる。
【００５９】
さらに、本発明にかかる撮像レンズでは、第２レンズの焦点距離をｆ２、撮像レンズ全系の焦点距離をｆとするとき、次の条件式を満足することが好ましい。
（３）  ０．８＜ｆ２／ｆ＜４．０
【００６０】
条件式（３）は、撮像レンズ全系の焦点距離に対する第２レンズの焦点距離の比を規定する式である。条件式（３）を満足することで、撮像レンズの小型化と良好な光学性能の確保が可能になる。
【００６１】
条件式（３）においてその下限を下回ると、第２レンズの屈折力が強くなりすぎて、コマ収差や像面湾曲の補正が困難になり、良好な光学性能の確保が難しくなる。また、第２レンズの偏心感度が高くなるため、撮像レンズの組立性も悪化する。一方、条件式（３）においてその上限を超えると、第２レンズでの収斂効果が弱くなり、撮像レンズの全長が延び、撮像レンズの小型化が困難になるため、好ましくない。
【００６２】
なお、上記条件式（３）は、次に示す範囲を満足すると、より好ましい効果が期待できる。
（３ａ）  １．１＜ｆ２／ｆ＜１．７
【００６３】
さらに、本発明にかかる撮像レンズでは、第２レンズの両面が凸形状であることが好ましい。第２レンズを両凸形状とすることで、正の屈折力を物体側と像側とに分散し、偏心による球面収差の劣化を抑え、良好な光学性能を確保することができる。また、強い正の屈折力を第２レンズに付与して光線束を収斂させることで、撮像レンズの全長を短くすることができる。
【００６４】
さらに、本発明にかかる撮像レンズでは、第２レンズのｄ線（５８７．５６ｎｍ）に対するアッベ数をν２、第１レンズのｄ線に対するアッベ数をν１とするとき、次の条件式を満足することが好ましい。
（４）  ６０．０＜ν２
（５）  １０．０＜ν２−ν１
【００６５】
条件式（４）は、第２レンズのｄ線に対するアッベ数を規定し、色収差を良好に補正するための条件を示す式である。
【００６６】
条件式（４）においてその下限を下回ると、軸上色収差および倍率色収差が悪化し、光学性能の劣化を招くため、好ましくない。また、条件式（４）においてその下限を下回ると、屈折率の温度係数（ｄｎ/ｄＴ）が負となる硝材は少ないため、第２レンズを構成する硝材の選択幅が狭まり、コスト高を招くおそれがある。そこで、第２レンズを構成する際の硝材は、条件式（４）の規定範囲内に比較的多く存在する屈折率の温度係数が負となる硝材を選択することが好ましい。なお、第２レンズを屈折率の温度係数が負の硝材を用いて構成する目的は、雰囲気温度の変化に伴う撮像レンズ全系の合焦位置の変動を抑制することを容易にするためである（詳細は後述）。
【００６７】
なお、上記条件式（４）は、次に示す範囲を満足すると、より好ましい効果が期待できる。
（４ａ）  ６５．０＜ν２＜９６
【００６８】
この条件式（４ａ）で規定する範囲を満足することにより、色収差をより良好に補正することができる。なお、条件式（４ａ）の上限を超えない状態であれば、色収差の過剰補正という問題が発生するおそれがないため、より好ましい。
【００６９】
また、条件式（５）は、第２レンズのｄ線に対するアッベ数と第１レンズのｄ線に対するアッベ数との差を規定し、色収差を良好に補正するための条件を示す式である。
【００７０】
条件式（５）においてその下限を下回ると、軸上色収差および倍率色収差が悪化し、光学性能が低下してしまうため好ましくない。
【００７１】
なお、上記条件式（５）は、次に示す範囲を満足すると、より好ましい効果が期待できる。
（５ａ）  １５．０＜ν２−ν１＜３５
【００７２】
この条件式（５ａ）で規定する範囲を満足することにより、色収差をより良好に補正することができる。なお、条件式（５ａ）の上限を超えない状態であれば、色収差の過剰補正という問題が発生するおそれがないため、より好ましい。
【００７３】
本発明では、条件式（４）および条件式（５）を共に満足することが、雰囲気温度の変化に伴う撮像レンズ全系の合焦位置の変動を抑制する上で好ましい。このとき、第２レンズを構成する硝材の屈折率の温度係数が負であり、第１レンズを構成する硝材の屈折率の温度係数が正であることが好ましい。第２レンズおよび第１レンズの各硝材の屈折率の温度係数が上記関係を満足する場合、温度変化に伴う屈折率変化を相殺することができる。この結果、雰囲気温度の変化に伴う合焦位置の変動を抑制し、高温時または低温時の環境下においても鮮明な被写体像を取得することが容易になる。このため、温度変化が大きくなりうる屋外等に設置される撮像装置にも好適な撮像レンズとなる。
【００７４】
さらに、本発明にかかる撮像レンズにおいて、後続レンズ群内に隣接して配置されたいずれか１組の樹脂レンズのうち、物体側に配置された樹脂レンズの曲率が強い方の面の近軸曲率半径をＲｐ１ａ、像面側に配置された樹脂レンズの曲率が強い方の面の近軸曲率半径をＲｐ２ａとするとき、次の条件式を満足することが好ましい。
（６）  −２．０＜Ｒｐ１ａ／Ｒｐ２ａ＜−０．５
【００７５】
条件式（６）は、当該後続レンズ群内に隣接して配置された１組の樹脂レンズのうち、像面側に配置された樹脂レンズの曲率が強い方の面の近軸曲率半径と、物体側に配置された樹脂レンズの曲率が強い方の面の近軸曲率半径の比を規定する式である。条件式（６）を満足することにより、温度変化時に当該後続レンズ群内に隣接して配置された１組の樹脂レンズのそれぞれの面の屈折力変化を相殺して画角変化を抑制することができる。
【００７６】
条件式（６）において規定される範囲から外れた場合、当該後続レンズ群内に隣接して配置された１組の樹脂レンズにおいて、曲率の強い方の面同士の近軸曲率半径の差が大きくなりすぎて、雰囲気温度の変化に伴う樹脂レンズの形状変化量の差が顕著になり、温度変化時の画角変化が大きくなってしまう。この結果、特に被写体情報を元にセンシングを行う際、想定情報と異なる結果が発生してしまうため、好ましくない。
【００７７】
なお、上記条件式（６）は、次に示す範囲を満足すると、より好ましい効果が期待できる。
（６ａ）  −１．５＜Ｒｐ１ａ／Ｒｐ２ａ＜−０．８
【００７８】
さらに、本発明にかかる撮像レンズにおいて、後続レンズ群内に隣接して配置されたいずれか１組の樹脂レンズのうち、物体側に配置された樹脂レンズにおける、曲率が弱い方の面の近軸曲率半径をＲｐ１ｂ、像面側に配置された樹脂レンズにおける、曲率が弱い方の面の近軸曲率半径をＲｐ２ｂとするとき、次の条件式を満足することが好ましい。
（７）  −２．０＜Ｒｐ１ｂ／Ｒｐ２ｂ＜−０．０５
【００７９】
条件式（７）は、当該後続レンズ群内に隣接して配置された１組の樹脂レンズのうち、像面側に配置された樹脂レンズの曲率が弱い方の面の近軸曲率半径と、物体側に配置された樹脂レンズの曲率が弱い方の面の近軸曲率半径の比を規定する式である。条件式（７）を満足することにより、温度変化時に当該後続レンズ群内に隣接して配置された１組の樹脂レンズのそれぞれの面の屈折力変化を相殺して画角変化を抑制することができる。
【００８０】
条件式（７）において規定される範囲から外れた場合、当該後続レンズ群内に隣接して配置された１組の樹脂レンズにおいて、それぞれの曲率の弱い方の面の近軸曲率半径の差が大きくなりすぎて、雰囲気温度の変化に伴う樹脂レンズの形状変化量の差が顕著になり、温度変化時の画角変化が大きくなってしまう。この結果、特に被写体情報を元にセンシングを行う際、想定情報と異なる結果が発生してしまうため、好ましくない。
【００８１】
なお、上記条件式（７）は、次に示す範囲を満足すると、より好ましい効果が期待できる。
（７ａ）  −１．５＜Ｒｐ１ｂ／Ｒｐ２ｂ＜−０．１
【００８２】
さらに、本発明にかかる撮像レンズでは、後続レンズ群内に隣接して配置されたいずれか１組の樹脂レンズにおいて、各樹脂レンズの少なくとも１面に非球面が形成されていることが好ましい。このようにすることで、諸収差をさらに良好に補正することができる。後続レンズ群内に隣接して配置された１組の樹脂レンズのうち、物体側に配置された樹脂レンズに少なくとも１面の非球面を形成することで、特に球面収差を良好に補正することが可能になる。一方、像面側に配置された樹脂レンズに少なくとも１面の非球面を形成することで、特にコマ収差を良好に補正することができる。
【００８３】
さらに、本発明にかかる撮像レンズでは、後続レンズ群は、第２レンズの像面側に、順に、正の屈折力を有する第３レンズと、負の屈折力を有する第４レンズと、を配置して構成することが好ましい。このようにすることで、本発明にかかる撮像レンズは、物体側から順に、負の屈折力を有する第１レンズと、正の屈折力を有する第２レンズと、正の屈折力を有する第３レンズと、負の屈折力を有する第４レンズと、が配置された構成になり、少ないレンズ枚数で画角が６０〜７０°程度の広角化を達成したうえで、良好な光学性能を確保することが可能になる。
【００８４】
なお、後続レンズ群を構成するレンズにおいて、第３レンズに負の屈折力を、第４レンズに正の屈折力を付与した構成としても良好な光学性能を確保することができる。しかし、前述のように、第３レンズに正の屈折力を、第４レンズに負の屈折力を付与した構成とすることが、より好ましい。第３レンズに正の屈折力を付与することで、正の屈折力を有する第２レンズとこの第３レンズによって、正の屈折力を分散することができ、明るいレンズでもあっても良好な光学性能を確保することが可能になる。
【００８５】
さらに、本発明にかかる撮像レンズでは、第３レンズの焦点距離をｆ３、撮像レンズ全系の焦点距離をｆとするとき、次の条件式を満足することが好ましい。
（８）  ０．８＜ｆ３／ｆ＜２．０
【００８６】
条件式（８）は、撮像レンズ全系の焦点距離に対する第３レンズの焦点距離の比を規定する式である。条件式（８）を満足することにより、撮像レンズの小型化と良好な光学性能の確保が可能になる。
【００８７】
条件式（８）においてその下限を下回ると、第３レンズの屈折力が強くなりすぎて、球面収差の補正が困難になり、良好な光学性能の確保が困難となる。一方、条件式（８）においてその上限を超えると、第３レンズでの収斂効果が弱くなり、撮像レンズの全長が長くなってしまうため、好ましくない。
【００８８】
なお、上記条件式（８）は、次に示す範囲を満足すると、より好ましい効果が期待できる。
（８ａ）  １．２＜ｆ３／ｆ＜１．５
【００８９】
さらに、本発明にかかる撮像レンズでは、第４レンズの焦点距離をｆ４、撮像レンズ全系の焦点距離をｆとするとき、次の条件式を満足することが好ましい。
（９）  −２．０＜ｆ４／ｆ＜−０．６
【００９０】
条件式（９）は撮像レンズ全系の焦点距離に対する第４レンズの焦点距離の比を規定する式である。条件式（９）を満足することにより、撮像レンズの小型化と良好な光学性能の確保が可能になる。
【００９１】
条件式（９）においてその下限を下回ると、第４レンズの屈折力が強くなりすぎて、像面湾曲の補正が困難になり、良好な光学性能の確保が難しくなる。一方、条件式（９）においてその上限を超えると、第４レンズでの発散効果が弱くなり、所望の像高を確保するために撮像レンズの全長を長くせざるを得なくなり、好ましくない。
【００９２】
さらに、本発明にかかる撮像レンズでは、第３レンズの両面が凸形状であることが好ましい。第３レンズを両凸形状とすることで、正の屈折力を物体側と像側とに分散し、偏心による球面収差および片ボケの劣化を抑え、光学性能を向上させることができる。
【００９３】
さらに、本発明にかかる撮像レンズでは、第４レンズの両面が凹形状であることが好ましい。第４レンズを両凹形状とすることで、負の屈折力を物体側と像側とに分散し、偏心による片ボケの劣化を抑え、光学性能を向上させることができる。
【００９４】
以上説明したように、本発明にかかる撮像レンズは、上記構成を備え、上記条件式を満足することにより、雰囲気温度が大きく変化した場合でも合焦位置変動や画角変動が少なく、低温時や高温時でも良好な光学性能を確保できる。また、樹脂レンズを採用したことにより、軽量で安価なものになる。さらに、広角で、Ｆナンバーが小さくなるようにしても、高い光学性能を確保することができる。かかる特徴を備えた本発明の撮像レンズは、特に雰囲気温度の変化が著しい条件下で使用される監視用カメラ、防犯カメラ、車載用カメラなどに好適である。
【００９５】
さらに、本発明は、雰囲気温度が大きく変化した場合でも合焦位置変動や画角変動が少なく、低温時や高温時でも良好な光学性能を確保できる撮像装置を提供することを目的としている。この目的を達成するためには、上記構成を備えた撮像レンズと、この撮像レンズによって結像した像を電気的信号に変換する撮像素子と、を備えて撮像装置を構成すればよい。このようにすることで、特に雰囲気温度の変化が著しい条件下での使用に適した撮像装置を実現することができる。
【００９６】
以下、本発明にかかる撮像レンズの実施例を図面に基づき詳細に説明する。なお、以下の実施例により本発明が限定されるものではない。
【実施例１】
【００９７】
図１は、実施例１にかかる撮像レンズの構成を示す光軸に沿う断面図である。この撮像レンズは、図示しない物体側から順に、負の屈折力を有する第１レンズＧ11と、後続レンズ群ＧＲ1と、が配置されて構成される。第１レンズＧ11は、両凹レンズで構成されている。後続レンズ群ＧＲ1と、像面ＩＰとの間には、光学ブロックＧが配置されている。光学ブロックＧは、光学フィルタや、フェースプレート、水晶ローパスフィルタ、赤外カットフィルタ等に相当するものである。
【００９８】
後続レンズ群ＧＲ1は、物体側から順に、正の屈折力を有する第２レンズＧ12と、開口絞りＳＰと、正の屈折力を有する第３レンズＧ13と、負の屈折力を有する第４レンズＧ14と、が配置されて構成される。第２レンズＧ12は、両凸レンズで構成されている。開口絞りＳＰは、物体側から像面ＩＰ側へ入射する光線束（光量）を制限するためのものである。第３レンズＧ13は、両凸レンズで構成されている。第４レンズＧ14は、両凹レンズで構成されている。第３レンズＧ13および第４レンズＧ14は、樹脂で構成されている。第３レンズＧ13と第４レンズＧ14は、光軸上に空気間隔を隔てて隣接して配置されている。また、第３レンズＧ13および第４レンズＧ14は、いずれの面にも非球面が形成されている。
【００９９】
以下、実施例１にかかるズームレンズに関する各種数値データを示す。
【０１００】
（面データ）
ｒ1＝-33.400
ｄ1＝0.600    ｎｄ1＝1.5688    νｄ1＝56.04
ｒ2＝4.830
ｄ2＝7.982
ｒ3＝6.050
ｄ3＝3.790    ｎｄ2＝1.4971    νｄ2＝81.56
ｒ4＝-8.630
ｄ4＝0.150
ｒ5＝∞（開口絞り）
ｄ5＝0.721
ｒ6＝25.000（非球面）
ｄ6＝3.190    ｎｄ3＝1.5444    νｄ3＝54.79
ｒ7＝-4.339（非球面）
ｄ7＝0.384
ｒ8＝-41.905（非球面）
ｄ8＝0.700    ｎｄ4＝1.6397    νｄ4＝23.53
ｒ9＝4.342（非球面）
ｄ9＝5.759
ｒ10＝∞
ｄ10＝0.800    ｎｄ5＝1.5168    νｄ5＝64.2
ｒ11＝∞
ｄ11＝0.125
ｒ12＝∞（像面）
【０１０１】
円錐係数（ｋ）および非球面係数（Ａ4，Ａ6，Ａ8，Ａ10，Ａ12）
（第６面）
ｋ＝1.5469×10-4，
Ａ4＝-5.5335×10-3，Ａ6＝-1.9975×10-4，Ａ8＝-7.2714×10-5，
Ａ10＝1.1588×10-5，Ａ12＝-1.0882×10-6
（第７面）
ｋ＝1.2651，
Ａ4＝9.2849×10-4，Ａ6＝1.5161×10-5，Ａ8＝9.3017×10-5，
Ａ10＝-1.5837×10-5，Ａ12＝1.5942×10-6
（第８面）
ｋ＝1.2717×10-4，
Ａ4＝1.3121×10-3，Ａ6＝2.9631×10-4，Ａ8＝-3.3508×10-4，
Ａ10＝8.1224×10-5，Ａ12＝-6.6253×10-6
（第９面）
ｋ＝-7.4779×10-3，
Ａ4＝2.8519×10-3，Ａ6＝2.0695×10-4，Ａ8＝-3.8195×10-4，
Ａ10＝9.3914×10-5，Ａ12＝-8.5586×10-6
【０１０２】
（各種データ）
焦点距離                            5.4643
Ｆナンバー                          2.4
半画角（ω）                   32.636
像高                                 3.15
レンズ全長                     24.2
バックフォーカス（空気換算長）  6.412
【０１０３】
（条件式（１）に関する数値）
｜ｆｒｐ｜／ｆ＝57.37
【０１０４】
（条件式（２）に関する数値）
｜ｆ１｜／ｆ＝1.35
【０１０５】
（条件式（３）に関する数値）
ｆ２／ｆ＝1.43
【０１０６】
（条件式（４）に関する数値）
ν２＝81.56
【０１０７】
（条件式（５）に関する数値）
ν２−ν１＝25.52
【０１０８】
（条件式（６）に関する数値）
Ｒｐ１ａ／Ｒｐ２ａ＝-1.00
【０１０９】
（条件式（７）に関する数値）
Ｒｐ１ｂ／Ｒｐ２ｂ＝-0.60
【０１１０】
（条件式（８）に関する数値）
ｆ３／ｆ＝1.29
【０１１１】
（条件式（９）に関する数値）
ｆ４／ｆ＝-1.12
【０１１２】
図２は、実施例１にかかるズームレンズの縦収差図である。球面収差図において、縦軸はＦナンバー（図中、Ｆｎｏで示す）を表し、実線はｄ線（λ＝５８７．５６ｎｍ）、短破線はｇ線（λ＝４３５．８４ｎｍ）、長破線はＣ線（λ＝６５６．２８ｎｍ）に相当する波長の特性を示している。非点収差図において、縦軸は像高（図中、ｙで示す）を表し、実線はサジタル平面（図中、Ｓで示す）、破線はメリディオナル平面（図中、Ｍで示す）でのｄ線に相当する波長の特性を示している。歪曲収差図において、縦軸は像高（図中、ｙで示す）を表し、実線はｄ線に相当する波長の特性を示している。
【実施例２】
【０１１３】
図３は、実施例２にかかる撮像レンズの構成を示す光軸に沿う断面図である。この撮像レンズは、図示しない物体側から順に、負の屈折力を有する第１レンズＧ21と、後続レンズ群ＧＲ2と、が配置されて構成される。第１レンズＧ21は、両凹レンズで構成されている。後続レンズ群ＧＲ2と、像面ＩＰとの間には、光学ブロックＧが配置されている。光学ブロックＧは、光学フィルタや、フェースプレート、水晶ローパスフィルタ、赤外カットフィルタ等に相当するものである。
【０１１４】
後続レンズ群ＧＲ2は、物体側から順に、正の屈折力を有する第２レンズＧ22と、開口絞りＳＰと、正の屈折力を有する第３レンズＧ23と、負の屈折力を有する第４レンズＧ24と、が配置されて構成される。第２レンズＧ22は、両凸レンズで構成されている。開口絞りＳＰは、物体側から像面ＩＰ側へ入射する光線束（光量）を制限するためのものである。第３レンズＧ23は、両凸レンズで構成されている。第４レンズＧ24は、両凹レンズで構成されている。第３レンズＧ23および第４レンズＧ24は、樹脂で構成されている。第３レンズＧ23と第４レンズＧ24は、光軸上に空気間隔を隔てて隣接して配置されている。また、第３レンズＧ23および第４レンズＧ24は、いずれの面にも非球面が形成されている。
【０１１５】
以下、実施例２にかかるズームレンズに関する各種数値データを示す。
【０１１６】
（面データ）
ｒ1＝-43.250
ｄ1＝0.850    ｎｄ1＝1.5688    νｄ1＝56.04
ｒ2＝5.430
ｄ2＝10.525
ｒ3＝5.900
ｄ3＝3.100    ｎｄ2＝1.4971    νｄ2＝81.56
ｒ4＝-15.530
ｄ4＝0.150
ｒ5＝∞（開口絞り）
ｄ5＝1.130
ｒ6＝8.568（非球面）
ｄ6＝3.180    ｎｄ3＝1.5312    νｄ3＝56.05
ｒ7＝-6.231（非球面）
ｄ7＝0.178
ｒ8＝-44.479（非球面）
ｄ8＝0.700    ｎｄ4＝1.6355    νｄ4＝23.91
ｒ9＝4.246（非球面）
ｄ9＝5.755
ｒ10＝∞
ｄ10＝0.800    ｎｄ5＝1.5168    νｄ5＝64.2
ｒ11＝∞
ｄ11＝0.121
ｒ12＝∞（像面）
【０１１７】
円錐係数（ｋ）および非球面係数（Ａ4，Ａ6，Ａ8，Ａ10，Ａ12）
（第６面）
ｋ＝1.0047×10-3，
Ａ4＝-3.0710×10-3，Ａ6＝-2.6848×10-4，Ａ8＝2.0280×10-6，
Ａ10＝-4.7505×10-6，Ａ12＝9.0567×10-8
（第７面）
ｋ＝-1.4066×10-3，
Ａ4＝1.7229×10-4，Ａ6＝-2.2191×10-3，Ａ8＝3.5848×10-4，
Ａ10＝-1.7068×10-5，Ａ12＝-4.0588×10-7
（第８面）
ｋ＝6.6662×10-6，
Ａ4＝1.7280×10-3，Ａ6＝-7.9674×10-4，Ａ8＝-7.3621×10-4，
Ａ10＝2.4232×10-4，Ａ12＝-2.1075×10-5
（第９面）
ｋ＝-4.3396×10-2，
Ａ4＝2.4375×10-3，Ａ6＝1.0444×10-3，Ａ8＝-1.1384×10-3，
Ａ10＝2.9892×10-4，Ａ12＝-2.7174×10-5
【０１１８】
（各種データ）
焦点距離                            5.4684
Ｆナンバー                          2.4
半画角（ω）                   32.65
像高                                 3.15
レンズ全長                     26.49
バックフォーカス（空気換算長）  6.404
【０１１９】
（条件式（１）に関する数値）
｜ｆｒｐ｜／ｆ＝34.17
【０１２０】
（条件式（２）に関する数値）
｜ｆ１｜／ｆ＝1.54
【０１２１】
（条件式（３）に関する数値）
ｆ２／ｆ＝1.65
【０１２２】
（条件式（４）に関する数値）
ν２＝81.56
【０１２３】
（条件式（５）に関する数値）
ν２−ν１＝25.52
【０１２４】
（条件式（６）に関する数値）
Ｒｐ１ａ／Ｒｐ２ａ＝-1.47
【０１２５】
（条件式（７）に関する数値）
Ｒｐ１ｂ／Ｒｐ２ｂ＝-0.19
【０１２６】
（条件式（８）に関する数値）
ｆ３／ｆ＝1.34
【０１２７】
（条件式（９）に関する数値）
ｆ４／ｆ＝-1.11
【０１２８】
図４は、実施例２にかかるズームレンズの縦収差図である。球面収差図において、縦軸はＦナンバー（図中、Ｆｎｏで示す）を表し、実線はｄ線（λ＝５８７．５６ｎｍ）、短破線はｇ線（λ＝４３５．８４ｎｍ）、長破線はＣ線（λ＝６５６．２８ｎｍ）に相当する波長の特性を示している。非点収差図において、縦軸は像高（図中、ｙで示す）を表し、実線はサジタル平面（図中、Ｓで示す）、破線はメリディオナル平面（図中、Ｍで示す）でのｄ線に相当する波長の特性を示している。歪曲収差図において、縦軸は像高（図中、ｙで示す）を表し、実線はｄ線に相当する波長の特性を示している。
【実施例３】
【０１２９】
図５は、実施例３にかかる撮像レンズの構成を示す光軸に沿う断面図である。この撮像レンズは、図示しない物体側から順に、負の屈折力を有する第１レンズＧ31と、後続レンズ群ＧＲ3と、が配置されて構成される。第１レンズＧ31は、両凹レンズで構成されている。後続レンズ群ＧＲ3と、像面ＩＰとの間には、光学ブロックＧが配置されている。光学ブロックＧは、光学フィルタや、フェースプレート、水晶ローパスフィルタ、赤外カットフィルタ等に相当するものである。
【０１３０】
後続レンズ群ＧＲ3は、物体側から順に、正の屈折力を有する第２レンズＧ32と、開口絞りＳＰと、正の屈折力を有する第３レンズＧ33と、負の屈折力を有する第４レンズＧ34と、が配置されて構成される。第２レンズＧ32は、両凸レンズで構成されている。開口絞りＳＰは、物体側から像面ＩＰ側へ入射する光線束（光量）を制限するためのものである。第３レンズＧ33は、両凸レンズで構成されている。第４レンズＧ34は、両凹レンズで構成されている。第３レンズＧ33および第４レンズＧ34は、樹脂で構成されている。第３レンズＧ33と第４レンズＧ34は、光軸上に空気間隔を隔てて隣接して配置されている。また、第３レンズＧ33および第４レンズＧ34は、いずれの面にも非球面が形成されている。
【０１３１】
以下、実施例３にかかるズームレンズに関する各種数値データを示す。
【０１３２】
（面データ）
ｒ1＝-33.430
ｄ1＝0.600    ｎｄ1＝1.5688    νｄ1＝56.04
ｒ2＝4.842
ｄ2＝7.941
ｒ3＝6.045
ｄ3＝3.836    ｎｄ2＝1.4971    νｄ2＝81.56
ｒ4＝-8.455
ｄ4＝0.150
ｒ5＝∞（開口絞り）
ｄ5＝0.699
ｒ6＝30.477（非球面）
ｄ6＝3.185    ｎｄ3＝1.5444    νｄ3＝54.79
ｒ7＝-4.225（非球面）
ｄ7＝0.403
ｒ8＝-40.049（非球面）
ｄ8＝0.700    ｎｄ4＝1.6397    νｄ4＝23.53
ｒ9＝4.363（非球面）
ｄ9＝5.853
ｒ10＝∞
ｄ10＝0.800    ｎｄ5＝1.5168    νｄ5＝64.2
ｒ11＝∞
ｄ11＝0.026
ｒ12＝∞（像面）
【０１３３】
円錐係数（ｋ）および非球面係数（Ａ4，Ａ6，Ａ8，Ａ10，Ａ12）
（第６面）
ｋ＝5.6113×10-5，
Ａ4＝-5.7480×10-3，Ａ6＝-2.0839×10-4，Ａ8＝-7.0843×10-5，
Ａ10＝1.1431×10-5，Ａ12＝-1.0721×10-6
（第７面）
ｋ＝1.1147，
Ａ4＝9.6863×10-4，Ａ6＝1.2069×10-4，Ａ8＝6.5798×10-5，
Ａ10＝-1.2385×10-5，Ａ12＝1.3752×10-6
（第８面）
ｋ＝-4.4878×10-5，
Ａ4＝1.2444×10-3，Ａ6＝4.7755×10-4，Ａ8＝-3.6257×10-4，
Ａ10＝8.2319×10-5，Ａ12＝-6.5960×10-6
（第９面）
ｋ＝3.4610×10-2，
Ａ4＝2.6446×10-3，Ａ6＝2.8498×10-4，Ａ8＝-3.8834×10-4，
Ａ10＝9.3614×10-5，Ａ12＝-8.5603×10-6
【０１３４】
（各種データ）
焦点距離                            5.4643
Ｆナンバー                          2.4
半画角（ω）                   32.636
像高                                 3.15
レンズ全長                     24.2
バックフォーカス（空気換算長）  6.407
【０１３５】
（条件式（１）に関する数値）
｜ｆｒｐ｜／ｆ＝69.79
【０１３６】
（条件式（２）に関する数値）
｜ｆ１｜／ｆ＝1.35
【０１３７】
（条件式（３）に関する数値）
ｆ２／ｆ＝1.42
【０１３８】
（条件式（４）に関する数値）
ν２＝81.56
【０１３９】
（条件式（５）に関する数値）
ν２−ν１＝25.52
【０１４０】
（条件式（６）に関する数値）
Ｒｐ１ａ／Ｒｐ２ａ＝-0.97
【０１４１】
（条件式（７）に関する数値）
Ｒｐ１ｂ／Ｒｐ２ｂ＝-0.76
【０１４２】
（条件式（８）に関する数値）
ｆ３／ｆ＝1.29
【０１４３】
（条件式（９）に関する数値）
ｆ４／ｆ＝-1.12
【０１４４】
図６は、実施例３にかかるズームレンズの縦収差図である。球面収差図において、縦軸はＦナンバー（図中、Ｆｎｏで示す）を表し、実線はｄ線（λ＝５８７．５６ｎｍ）、短破線はｇ線（λ＝４３５．８４ｎｍ）、長破線はＣ線（λ＝６５６．２８ｎｍ）に相当する波長の特性を示している。非点収差図において、縦軸は像高（図中、ｙで示す）を表し、実線はサジタル平面（図中、Ｓで示す）、破線はメリディオナル平面（図中、Ｍで示す）でのｄ線に相当する波長の特性を示している。歪曲収差図において、縦軸は像高（図中、ｙで示す）を表し、実線はｄ線に相当する波長の特性を示している。
【実施例４】
【０１４５】
図７は、実施例４にかかる撮像レンズの構成を示す光軸に沿う断面図である。この撮像レンズは、図示しない物体側から順に、負の屈折力を有する第１レンズＧ41と、後続レンズ群ＧＲ4と、が配置されて構成される。第１レンズＧ41は、両凹レンズで構成されている。後続レンズ群ＧＲ4と、像面ＩＰとの間には、光学ブロックＧが配置されている。光学ブロックＧは、光学フィルタや、フェースプレート、水晶ローパスフィルタ、赤外カットフィルタ等に相当するものである。
【０１４６】
後続レンズ群ＧＲ4は、物体側から順に、正の屈折力を有する第２レンズＧ42と、開口絞りＳＰと、正の屈折力を有する第３レンズＧ43と、負の屈折力を有する第４レンズＧ44と、が配置されて構成される。第２レンズＧ42は、両凸レンズで構成されている。開口絞りＳＰは、物体側から像面ＩＰ側へ入射する光線束（光量）を制限するためのものである。第３レンズＧ43は、両凸レンズで構成されている。第４レンズＧ44は、両凹レンズで構成されている。第３レンズＧ43および第４レンズＧ44は、樹脂で構成されている。第３レンズＧ43と第４レンズＧ44は、光軸上に空気間隔を隔てて隣接して配置されている。また、第３レンズＧ43および第４レンズＧ44は、いずれの面にも非球面が形成されている。
【０１４７】
以下、実施例４にかかるズームレンズに関する各種数値データを示す。
【０１４８】
（面データ）
ｒ1＝-214.700
ｄ1＝0.900    ｎｄ1＝1.5688    νｄ1＝56.04
ｒ2＝4.830
ｄ2＝9.426
ｒ3＝6.920
ｄ3＝4.000    ｎｄ2＝1.5503    νｄ2＝75.5
ｒ4＝-9.640
ｄ4＝0.150
ｒ5＝∞（開口絞り）
ｄ5＝1.027
ｒ6＝24.543（非球面）
ｄ6＝3.200    ｎｄ3＝1.5444    νｄ3＝54.79
ｒ7＝-5.142（非球面）
ｄ7＝0.150
ｒ8＝-245.430（非球面）
ｄ8＝0.880    ｎｄ4＝1.6397    νｄ4＝23.53
ｒ9＝4.500（非球面）
ｄ9＝5.411
ｒ10＝∞
ｄ10＝0.800    ｎｄ5＝1.5168    νｄ5＝64.2
ｒ11＝∞
ｄ11＝0.311
ｒ12＝∞（像面）
【０１４９】
円錐係数（ｋ）および非球面係数（Ａ4，Ａ6，Ａ8，Ａ10，Ａ12）
（第６面）
ｋ＝0，
Ａ4＝-4.9764×10-3，Ａ6＝-2.2736×10-4，Ａ8＝-6.9573×10-5，
Ａ10＝1.0562×10-5，Ａ12＝-1.0882×10-6
（第７面）
ｋ＝2.2991，
Ａ4＝-7.6754×10-3，Ａ6＝1.4018×10-3，Ａ8＝-2.4462×10-5，
Ａ10＝-1.2304×10-5，Ａ12＝1.5942×10-6
（第８面）
ｋ＝-1.1813×10-6，
Ａ4＝-5.4771×10-3，Ａ6＝5.2322×10-4，Ａ8＝-1.7533×10-4，
Ａ10＝6.3345×10-5，Ａ12＝-6.6253×10-6
（第９面）
ｋ＝9.4182×10-3，
Ａ4＝3.4658×10-3，Ａ6＝-9.1146×10-4，Ａ8＝-7.8354×10-5，
Ａ10＝6.8723×10-5，Ａ12＝-8.5586×10-6
【０１５０】
（各種データ）
焦点距離                            5.4175
Ｆナンバー                          2.4
半画角（ω）                   32.496
像高                                 3.15
レンズ全長                     26.26
バックフォーカス（空気換算長）  6.248
【０１５１】
（条件式（１）に関する数値）
｜ｆｒｐ｜／ｆ＝60.82
【０１５２】
（条件式（２）に関する数値）
｜ｆ１｜／ｆ＝1.53
【０１５３】
（条件式（３）に関する数値）
ｆ２／ｆ＝1.48
【０１５４】
（条件式（４）に関する数値）
ν２＝75.50
【０１５５】
（条件式（５）に関する数値）
ν２−ν１＝19.46
【０１５６】
（条件式（６）に関する数値）
Ｒｐ１ａ／Ｒｐ２ａ＝-1.14
【０１５７】
（条件式（７）に関する数値）
Ｒｐ１ｂ／Ｒｐ２ｂ＝-0.10
【０１５８】
（条件式（８）に関する数値）
ｆ３／ｆ＝1.50
【０１５９】
（条件式（９）に関する数値）
ｆ４／ｆ＝-1.27
【０１６０】
図８は、実施例４にかかるズームレンズの縦収差図である。球面収差図において、縦軸はＦナンバー（図中、Ｆｎｏで示す）を表し、実線はｄ線（λ＝５８７．５６ｎｍ）、短破線はｇ線（λ＝４３５．８４ｎｍ）、長破線はＣ線（λ＝６５６．２８ｎｍ）に相当する波長の特性を示している。非点収差図において、縦軸は像高（図中、ｙで示す）を表し、実線はサジタル平面（図中、Ｓで示す）、破線はメリディオナル平面（図中、Ｍで示す）でのｄ線に相当する波長の特性を示している。歪曲収差図において、縦軸は像高（図中、ｙで示す）を表し、実線はｄ線に相当する波長の特性を示している。
【実施例５】
【０１６１】
図９は、実施例５にかかる撮像レンズの構成を示す光軸に沿う断面図である。この撮像レンズは、図示しない物体側から順に、負の屈折力を有する第１レンズＧ51と、後続レンズ群ＧＲ5と、が配置されて構成される。第１レンズＧ51は、両凹レンズで構成されている。後続レンズ群ＧＲ5と、像面ＩＰとの間には、光学ブロックＧが配置されている。光学ブロックＧは、光学フィルタや、フェースプレート、水晶ローパスフィルタ、赤外カットフィルタ等に相当するものである。
【０１６２】
後続レンズ群ＧＲ5は、物体側から順に、正の屈折力を有する第２レンズＧ52と、開口絞りＳＰと、正の屈折力を有する第３レンズＧ53と、負の屈折力を有する第４レンズＧ54と、が配置されて構成される。第２レンズＧ52は、両凸レンズで構成されている。開口絞りＳＰは、物体側から像面ＩＰ側へ入射する光線束（光量）を制限するためのものである。第３レンズＧ53は、両凸レンズで構成されている。第４レンズＧ54は、両凹レンズで構成されている。第３レンズＧ53および第４レンズＧ54は、樹脂で構成されている。第３レンズＧ53と第４レンズＧ54は、光軸上に空気間隔を隔てて隣接して配置されている。また、第３レンズＧ53および第４レンズＧ54は、いずれの面にも非球面が形成されている。
【０１６３】
以下、実施例５にかかるズームレンズに関する各種数値データを示す。
【０１６４】
（面データ）
ｒ1＝-353.255
ｄ1＝0.870    ｎｄ1＝1.5688    νｄ1＝56.04
ｒ2＝4.435
ｄ2＝8.337
ｒ3＝5.587
ｄ3＝4.000    ｎｄ2＝1.4971    νｄ2＝81.56
ｒ4＝-9.555
ｄ4＝0.150
ｒ5＝∞（開口絞り）
ｄ5＝1.045
ｒ6＝56.339（非球面）
ｄ6＝3.200    ｎｄ3＝1.5444    νｄ3＝54.79
ｒ7＝-3.971（非球面）
ｄ7＝0.150
ｒ8＝-37.604（非球面）
ｄ8＝1.090    ｎｄ4＝1.6397    νｄ4＝23.53
ｒ9＝4.500（非球面）
ｄ9＝5.319
ｒ10＝∞
ｄ10＝0.800    ｎｄ5＝1.5168    νｄ5＝64.2
ｒ11＝∞
ｄ11＝0.206
ｒ12＝∞（像面）
【０１６５】
円錐係数（ｋ）および非球面係数（Ａ4，Ａ6，Ａ8，Ａ10，Ａ12）
（第６面）
ｋ＝5.2325×10-7，
Ａ4＝-5.7551×10-3，Ａ6＝-3.0223×10-4，Ａ8＝-7.6820×10-5，
Ａ10＝1.1293×10-5，Ａ12＝-1.0721×10-6
（第７面）
ｋ＝8.2648×10-1，
Ａ4＝7.9088×10-4，Ａ6＝-7.0891×10-5，Ａ8＝1.2888×10-4，
Ａ10＝-1.7393×10-5，Ａ12＝1.3752×10-6
（第８面）
ｋ＝-9.8491×10-6，
Ａ4＝-4.2853×10-3，Ａ6＝9.0332×10-4，Ａ8＝-3.2995×10-4，
Ａ10＝7.9621×10-5，Ａ12＝-6.5960×10-6
（第９面）
ｋ＝5.4695×10-2，
Ａ4＝-4.0549×10-3，Ａ6＝1.0037×10-3，Ａ8＝-4.5005×10-4，
Ａ10＝1.0148×10-4，Ａ12＝-8.5603×10-6
【０１６６】
（各種データ）
焦点距離                            5.4543
Ｆナンバー                          2.4
半画角（ω）                   32.676
像高                                 3.15
レンズ全長                     25.16
バックフォーカス（空気換算長）  6.045
【０１６７】
（条件式（１）に関する数値）
｜ｆｒｐ｜／ｆ＝51.85
【０１６８】
（条件式（２）に関する数値）
｜ｆ１｜／ｆ＝1.41
【０１６９】
（条件式（３）に関する数値）
ｆ２／ｆ＝1.43
【０１７０】
（条件式（４）に関する数値）
ν２＝81.56
【０１７１】
（条件式（５）に関する数値）
ν２−ν１＝25.52
【０１７２】
（条件式（６）に関する数値）
Ｒｐ１ａ／Ｒｐ２ａ＝-0.88
【０１７３】
（条件式（７）に関する数値）
Ｒｐ１ｂ／Ｒｐ２ｂ＝-1.50
【０１７４】
（条件式（８）に関する数値）
ｆ３／ｆ＝1.27
【０１７５】
（条件式（９）に関する数値）
ｆ４／ｆ＝-1.14
【０１７６】
図１０は、実施例５にかかるズームレンズの縦収差図である。球面収差図において、縦軸はＦナンバー（図中、Ｆｎｏで示す）を表し、実線はｄ線（λ＝５８７．５６ｎｍ）、短破線はｇ線（λ＝４３５．８４ｎｍ）、長破線はＣ線（λ＝６５６．２８ｎｍ）に相当する波長の特性を示している。非点収差図において、縦軸は像高（図中、ｙで示す）を表し、実線はサジタル平面（図中、Ｓで示す）、破線はメリディオナル平面（図中、Ｍで示す）でのｄ線に相当する波長の特性を示している。歪曲収差図において、縦軸は像高（図中、ｙで示す）を表し、実線はｄ線に相当する波長の特性を示している。
【実施例６】
【０１７７】
図１１は、実施例６にかかる撮像レンズの構成を示す光軸に沿う断面図である。この撮像レンズは、図示しない物体側から順に、負の屈折力を有する第１レンズＧ61と、後続レンズ群ＧＲ6と、が配置されて構成される。第１レンズＧ61は、両凹レンズで構成されている。後続レンズ群ＧＲ6と、像面ＩＰとの間には、光学ブロックＧが配置されている。光学ブロックＧは、光学フィルタや、フェースプレート、水晶ローパスフィルタ、赤外カットフィルタ等に相当するものである。
【０１７８】
後続レンズ群ＧＲ6は、物体側から順に、正の屈折力を有する第２レンズＧ62と、開口絞りＳＰと、負の屈折力を有する第３レンズＧ63と、正の屈折力を有する第４レンズＧ54と、が配置されて構成される。第２レンズＧ62は、両凸レンズで構成されている。開口絞りＳＰは、物体側から像面ＩＰ側へ入射する光線束（光量）を制限するためのものである。第３レンズＧ63は、両凹レンズで構成されている。第４レンズＧ64は、両凸レンズで構成されている。第３レンズＧ63および第４レンズＧ64は、樹脂で構成されている。第３レンズＧ63と第４レンズＧ64は、光軸上に空気間隔を隔てて隣接して配置されている。また、第２レンズＧ62、第３レンズＧ63、および第４レンズＧ64は、いずれの面にも非球面が形成されている。
【０１７９】
以下、実施例６にかかるズームレンズに関する各種数値データを示す。
【０１８０】
（面データ）
ｒ1＝-92.771
ｄ1＝0.900    ｎｄ1＝1.5688    νｄ1＝56.04
ｒ2＝4.060
ｄ2＝7.422
ｒ3＝8.698（非球面）
ｄ3＝2.326    ｎｄ2＝1.5503    νｄ2＝75.5
ｒ4＝-5.460（非球面）
ｄ4＝1.127
ｒ5＝∞（開口絞り）
ｄ5＝2.871
ｒ6＝-4.104（非球面）
ｄ6＝0.800    ｎｄ3＝1.6355    νｄ3＝23.91
ｒ7＝27.723（非球面）
ｄ7＝0.150
ｒ8＝3.531（非球面）
ｄ8＝1.954    ｎｄ4＝1.5312    νｄ4＝56.05
ｒ9＝-30.796（非球面）
ｄ9＝5.235
ｒ10＝∞
ｄ10＝0.800    ｎｄ5＝1.5168    νｄ5＝64.2
ｒ11＝∞
ｄ11＝0.355
ｒ12＝∞（像面）
【０１８１】
円錐係数（ｋ）および非球面係数（Ａ4，Ａ6，Ａ8，Ａ10，Ａ12）
（第３面）
ｋ＝0，
Ａ4＝-9.1032×10-4，Ａ6＝1.4724×10-5，Ａ8＝-2.9406×10-6，
Ａ10＝8.0157×10-8，Ａ12＝0
（第４面）
ｋ＝0，
Ａ4＝1.4667×10-3，Ａ6＝7.7049×10-6，Ａ8＝-4.4913×10-6，
Ａ10＝2.4527×10-7，Ａ12＝0
（第６面）
ｋ＝1.5045，
Ａ4＝4.0721×10-2，Ａ6＝-9.7906×10-3，Ａ8＝2.5670×10-3，
Ａ10＝-3.9610×10-4，Ａ12＝2.7200×10-5
（第７面）
ｋ＝1.6000×10-3，
Ａ4＝1.8122×10-2，Ａ6＝-4.1929×10-3，Ａ8＝1.4953×10-3，
Ａ10＝-3.0108×10-4，Ａ12＝2.1100×10-5
（第８面）
ｋ＝1.8123×10-1，
Ａ4＝-1.7674×10-2，Ａ6＝4.1438×10-3，Ａ8＝-4.8684×10-4，
Ａ10＝1.4479×10-5，Ａ12＝4.0600×10-7
（第９面）
ｋ＝3.3952×10-4，
Ａ4＝8.5219×10-4，Ａ6＝2.1901×10-4，Ａ8＝9.6280×10-5，
Ａ10＝-6.7331×10-6，Ａ12＝-9.0600×10-8
【０１８２】
（各種データ）
焦点距離                            5.4599
Ｆナンバー                          2.4
半画角（ω）                   32.66
像高                                 3.15
レンズ全長                     23.93
バックフォーカス（空気換算長）  6.106
【０１８３】
（条件式（１）に関する数値）
｜ｆｒｐ｜／ｆ＝32.06
【０１８４】
（条件式（２）に関する数値）
｜ｆ１｜／ｆ＝1.25
【０１８５】
（条件式（３）に関する数値）
ｆ２／ｆ＝1.19
【０１８６】
（条件式（４）に関する数値）
ν２＝75.50
【０１８７】
（条件式（５）に関する数値）
ν２−ν１＝19.46
【０１８８】
（条件式（６）に関する数値）
Ｒｐ１ａ／Ｒｐ２ａ＝-1.16
【０１８９】
（条件式（７）に関する数値）
Ｒｐ１ｂ／Ｒｐ２ｂ＝-0.90
【０１９０】
図１２は、実施例６にかかるズームレンズの縦収差図である。球面収差図において、縦軸はＦナンバー（図中、Ｆｎｏで示す）を表し、実線はｄ線（λ＝５８７．５６ｎｍ）、短破線はｇ線（λ＝４３５．８４ｎｍ）、長破線はＣ線（λ＝６５６．２８ｎｍ）に相当する波長の特性を示している。非点収差図において、縦軸は像高（図中、ｙで示す）を表し、実線はサジタル平面（図中、Ｓで示す）、破線はメリディオナル平面（図中、Ｍで示す）でのｄ線に相当する波長の特性を示している。歪曲収差図において、縦軸は像高（図中、ｙで示す）を表し、実線はｄ線に相当する波長の特性を示している。
【実施例７】
【０１９１】
図１３は、実施例７にかかる撮像レンズの構成を示す光軸に沿う断面図である。この撮像レンズは、図示しない物体側から順に、負の屈折力を有する第１レンズＧ71と、後続レンズ群ＧＲ7と、が配置されて構成される。第１レンズＧ71は、両凹レンズで構成されている。後続レンズ群ＧＲ7と、像面ＩＰとの間には、光学ブロックＧが配置されている。光学ブロックＧは、光学フィルタや、フェースプレート、水晶ローパスフィルタ、赤外カットフィルタ等に相当するものである。
【０１９２】
後続レンズ群ＧＲ7は、物体側から順に、正の屈折力を有する第２レンズＧ72と、開口絞りＳＰと、正の屈折力を有する第３レンズＧ73と、負の屈折力を有する第４レンズＧ74と、正の屈折力を有する第５レンズＧ75と、が配置されて構成される。第２レンズＧ72は、両凸レンズで構成されている。開口絞りＳＰは、物体側から像面ＩＰ側へ入射する光線束（光量）を制限するためのものである。第３レンズＧ73は、両凸レンズで構成されている。第４レンズＧ74は、両凹レンズで構成されている。第３レンズＧ73および第４レンズＧ74は、樹脂で構成されている。第３レンズＧ73と第４レンズＧ74は、光軸上に空気間隔を隔てて隣接して配置されている。また、第３レンズＧ73および第４レンズＧ74は、いずれの面にも非球面が形成されている。
【０１９３】
以下、実施例７にかかるズームレンズに関する各種数値データを示す。
【０１９４】
（面データ）
ｒ1＝-53.553
ｄ1＝0.810    ｎｄ1＝1.5688    νｄ1＝56.04
ｒ2＝4.124
ｄ2＝6.347
ｒ3＝5.913
ｄ3＝4.000    ｎｄ2＝1.5503    νｄ2＝75.5
ｒ4＝-9.500
ｄ4＝0.150
ｒ5＝∞（開口絞り）
ｄ5＝1.025
ｒ6＝16.660（非球面）
ｄ6＝3.200    ｎｄ3＝1.5444    νｄ3＝54.79
ｒ7＝-4.960（非球面）
ｄ7＝0.150
ｒ8＝-29.169（非球面）
ｄ8＝1.260    ｎｄ4＝1.6397    νｄ4＝23.53
ｒ9＝4.440（非球面）
ｄ9＝1.482
ｒ10＝47.027
ｄ10＝1.450    ｎｄ5＝1.7292    νｄ5＝54.67
ｒ11＝-87.850
ｄ11＝2.600
ｒ12＝∞
ｄ12＝0.800    ｎｄ6＝1.5168    νｄ6＝64.2
ｒ13＝∞
ｄ13＝0.200
ｒ14＝∞（像面）
【０１９５】
円錐係数（ｋ）および非球面係数（Ａ4，Ａ6，Ａ8，Ａ10，Ａ12）
（第６面）
ｋ＝-3.9026×10-3，
Ａ4＝-4.5376×10-3，Ａ6＝-1.9531×10-4，Ａ8＝-9.8210×10-5，
Ａ10＝9.9237×10-6，Ａ12＝-1.1086×10-6
（第７面）
ｋ＝1.9240，
Ａ4＝-5.7426×10-3，Ａ6＝2.6955×10-4，Ａ8＝1.6797×10-4，
Ａ10＝-2.4889×10-5，Ａ12＝1.5752×10-6
（第８面）
ｋ＝-2.5113×10-3，
Ａ4＝-9.0937×10-3，Ａ6＝5.1726×10-4，Ａ8＝-1.7759×10-4，
Ａ10＝7.7173×10-5，Ａ12＝-7.8433×10-6
（第９面）
ｋ＝-9.8109×10-4，
Ａ4＝-3.3059×10-3，Ａ6＝6.3848×10-4，Ａ8＝-4.4088×10-4，
Ａ10＝1.1927×10-4，Ａ12＝-1.0745×10-5
【０１９６】
（各種データ）
焦点距離                            5.4565
Ｆナンバー                          2.4
半画角（ω）                   32.684
像高                                 3.15
レンズ全長                     23.48
バックフォーカス（空気換算長）  3.327
【０１９７】
（条件式（１）に関する数値）
｜ｆｒｐ｜／ｆ＝49.91
【０１９８】
（条件式（２）に関する数値）
｜ｆ１｜／ｆ＝1.23
【０１９９】
（条件式（３）に関する数値）
ｆ２／ｆ＝1.34
【０２００】
（条件式（４）に関する数値）
ν２＝75.50
【０２０１】
（条件式（５）に関する数値）
ν２−ν１＝19.46
【０２０２】
（条件式（６）に関する数値）
Ｒｐ１ａ／Ｒｐ２ａ＝-1.12
【０２０３】
（条件式（７）に関する数値）
Ｒｐ１ｂ／Ｒｐ２ｂ＝-0.57
【０２０４】
（条件式（８）に関する数値）
ｆ３／ｆ＝1.36
【０２０５】
（条件式（９）に関する数値）
ｆ４／ｆ＝-1.09
【０２０６】
図１４は、実施例７にかかるズームレンズの縦収差図である。球面収差図において、縦軸はＦナンバー（図中、ＦＮＯで示す）を表し、実線はｄ線（λ＝５８７．５６ｎｍ）、短破線はｇ線（λ＝４３５．８４ｎｍ）、長破線はＣ線（λ＝６５６．２８ｎｍ）に相当する波長の特性を示している。非点収差図において、縦軸は像高（図中、ｙで示す）を表し、実線はサジタル平面（図中、Ｓで示す）、破線はメリディオナル平面（図中、Ｍで示す）でのｄ線に相当する波長の特性を示している。歪曲収差図において、縦軸は像高（図中、ｙで示す）を表し、実線はｄ線に相当する波長の特性を示している。
【０２０７】
なお、上記各実施例中の数値データにおいて、ｒ1，ｒ2，・・・・はレンズ、開口絞り面などの曲率半径、ｄ1，ｄ2，・・・・はレンズ、開口絞りなどの肉厚またはそれらの面間隔、ｎｄ1，ｎｄ2，・・・・はレンズなどのｄ線（λ＝５８７．５６ｎｍ）に対する屈折率、νｄ1，νｄ2，・・・・はレンズなどのｄ線（λ＝５８７．５６ｎｍ）に対するアッベ数を示している。そして、長さの単位はすべて「ｍｍ」、角度の単位はすべて「°」である。
【０２０８】
また、上記各非球面形状は、非球面の深さをＺ、曲率をｃ（１／ｒ）、光軸からの高さをｈ、円錐係数をｋ、４次，６次，８次，１０次，１２次の非球面係数をそれぞれＡ4，Ａ6，Ａ8，Ａ10，Ａ12とし、光の進行方向を正とするとき、以下に示す式により表される。
【０２０９】
【数１】
2019174848.tif 000003
【０２１０】
以上説明したように、上記各実施例の撮像レンズは、上記各条件式を満足することにより、雰囲気温度が大きく変化した場合でも合焦位置変動や画角変動が少なく、低温時や高温時でも良好な光学性能を確保できる。したがって、この撮像レンズは、温度変化が著しい屋外に設置される監視用カメラや、防犯カメラ、夏季高温になりがちな車内に備えられる車載用カメラ等にも問題なく用いることができる。また、樹脂レンズを採用したことにより、軽量で安価なものになる。さらに、広角で、Ｆナンバーが小さくなるようにしても、高い光学性能を確保することができる。適宜非球面が形成されたレンズを配置したことにより、収差補正能力を向上させることができる。
【０２１１】
＜適用例＞
以下、本発明の実施例１〜７に示した撮像レンズを撮像装置に適用した例を示す。図１５は、本発明にかかる撮像レンズを備えた撮像装置の一適用例を示す図である。図１５に示すように、撮像装置２００は、撮像レンズ１００と、固体撮像素子２０１と、を備えて構成される。撮像レンズ１００は、実施例１〜７に示したものである。
【０２１２】
撮像レンズ１００と固体撮像素子２０１とを備えた撮像装置２００において、実施例１〜７に示した像面ＩＰが固体撮像素子２０１の撮像面２０２に相当する。固体撮像素子２０１としては、たとえば、ＣＣＤ（Ｃｈａｒｇｅ Ｃｏｕｐｌｅｄ Ｄｅｖｉｃｅ）やＣＭＯＳ（Ｃｏｍｐｌｅｍｅｎｔａｒｙ Ｍｅｔａｌ Ｏｘｉｄｅ Ｓｅｍｉｃｏｎｄｕｃｔｏｒ）センサなどの光電変換素子を用いることができる。
【０２１３】
撮像装置２００において、撮像レンズ１００の物体側から入射した光が最終的に固体撮像素子２０１の撮像面２０２に結像する。そして、固体撮像素子２０１が受像した光を光電変換して電気信号として出力する。この出力信号が図示しない信号処理回路によって演算処理され、被写体の像に対応したデジタル画像が生成される。デジタル画像は、たとえばＨＤＤ（Ｈａｒｄ Ｄｉｓｋ Ｄｅｖｉｃｅ）やメモリカード、光ディスク、磁気テープなどの記録媒体に記録することが可能である。なお、撮像装置２００が銀塩フィルムカメラである場合は、撮像面２０２がフィルム面に相当する。
【０２１４】
以上のように、撮像レンズ１００を備えることにより、雰囲気温度が大きく変化した場合でも合焦位置変動や画角変動が少なく、低温時や高温時でも良好な光学性能を確保できる撮像装置２００を実現することができる。
【産業上の利用可能性】
【０２１５】
以上のように、本発明にかかる撮像レンズは、低温から高温までの幅広い温度領域において高い光学性能が要求される撮像装置に有用であり、特に、監視用カメラ、防犯カメラ、車載用カメラなどに適している。
【符号の説明】
【０２１６】
Ｇ11，Ｇ21，Ｇ31，Ｇ41，Ｇ51，Ｇ61，Ｇ71  第１レンズ
Ｇ12，Ｇ22，Ｇ32，Ｇ42，Ｇ52，Ｇ62，Ｇ72  第２レンズ
Ｇ13，Ｇ23，Ｇ33，Ｇ43，Ｇ53，Ｇ63，Ｇ73  第３レンズ
Ｇ14，Ｇ24，Ｇ34，Ｇ44，Ｇ54，Ｇ64，Ｇ74  第４レンズ
Ｇ75  第５レンズ
ＧＲ1，ＧＲ2，ＧＲ3，ＧＲ4，ＧＲ5，ＧＲ6，ＧＲ7  後続レンズ群
ＳＰ  開口絞り
Ｇ  光学ブロック
ＩＰ  像面
１００  撮像レンズ
２００  撮像装置
２０１  固体撮像素子
２０２  撮像面
【図１】
2019174848.tif 000004
【図２】
2019174848.tif 000005
【図３】
2019174848.tif 000006
【図４】
2019174848.tif 000007
【図５】
2019174848.tif 000008
【図６】
2019174848.tif 000009
【図７】
2019174848.tif 000010
【図８】
2019174848.tif 000011
【図９】
2019174848.tif 000012
【図１０】
2019174848.tif 000013
【図１１】
2019174848.tif 000014
【図１２】
2019174848.tif 000015
【図１３】
2019174848.tif 000016
【図１４】
2019174848.tif 000017
【図１５】
2019174848.tif 000018